(57)【要約】【課題】トレイドアの側方近傍に取付けたコントロール配線基板と筐体内部のメイン配線基板を結ぶリード線が前方へ張り出してトレイドアと緩衝するのを極く簡単な構成で防止することができるディスク装置を提供する。【解決手段】トレイドア２の側方近傍にコントロール配線基板５を配してシャーシ６の基板取付部６ａの前面に取付け、コントロール配線基板５と筐体内部のメイン配線基板５０をリード線７で接続したディスク装置において、コントロール配線基板５の前面から出ている上記リード線７をコントロール配線基板５の後方へ導いて固定するリード線固定手段として、シャーシ６の基板取付部６ａの上面から起立するリブ８を設ける。コントロール配線基板５の後方へ導いたリード線７をリブ８に掛止させて固定するため、リード線が湾曲しながら前方へ張り出してトレイドアと緩衝することが防止され、スムーズな開閉が確保される。【選択図】図２
2007265584.tif 000002
【特許請求の範囲】
【請求項１】
ディスクトレイを有するプレーヤ本体を内蔵した筐体のフロントパネルにトレイ挿通口を開設してトレイドアを取付けると共に、このトレイドアの側方近傍にコントロール配線基板を配してシャーシの基板取付部の前面に取付け、このコントロール配線基板と筐体内部のメイン配線基板をリード線で接続したディスク装置において、
上記コントロール配線基板の前面から出ている上記リード線を上記コントロール配線基板の後方へ導いて固定するリード線固定手段として、上記シャーシの基板取付部の上面から起立し且つ後面上端部にアール又は斜面が形成されたリブを設け、このリブと上記シャーシの基板取付部より上側の部分との間隔を、上記リード線の厚みと同一もしくは僅かに広くしたことを特徴とするディスク装置。
【請求項２】
ディスクトレイを有するプレーヤ本体を内蔵した筐体のフロントパネルにトレイ挿通口を開設してトレイドアを取付けると共に、このトレイドアの側方近傍にコントロール配線基板を配してシャーシの基板取付部の前面に取付け、このコントロール配線基板と筐体内部のメイン配線基板をリード線で接続したディスク装置において、
上記コントロール配線基板の前面から出ている上記リード線を上記コントロール配線基板の後方へ導いて固定するリード線固定手段を設けたことを特徴とするディスク装置。
【請求項３】
上記リード線固定手段として、上記シャーシの基板取付部の上面から起立するリブを設けたことを特徴とする請求項２に記載のディスク装置。
【請求項４】
上記シャーシの基板取付部より上側の部分と上記リブとの間隔を、上記リード線の厚みと同一もしくは僅かに広くしたことを特徴とする請求項３に記載のディスク装置。
【発明の詳細な説明】
【技術分野】
【０００１】
本発明は、ＤＶＤプレーヤ、ＶＣＲ一体型ＤＶＤプレーヤなどのディスク装置に関し、特に、トレイドアとリード線との緩衝をなくしてトレイドアをスムーズに開閉できるように改良したディスク装置に関する。
【背景技術】
【０００２】
ＶＣＲ一体型ＤＶＤプレーヤなどのディスク装置は、図１に示すように、ディスクトレイを有するプレーヤ本体を内蔵した筐体のフロントパネル１の片側にトレイ挿通口を開設してトレイドア２を取付けると共に、反対側にビデオカセット挿通口を開設してカセットドア３を取付けたものが一般的である。このようなディスク装置では、トレイドア２の側方近傍（通常はトレイドア２とカセットドア３の間）に、トレイドア２の開閉スイッチ４を搭載したコントロール配線基板５を配置して、図５，図６に示すように、このコントロール配線基板５をフロントパネル１背後のシャーシ６の基板取付部６ａの前面に取付け、このコントロール配線基板５と筐体内部のメイン配線基板５０をリード線７で接続する場合が多い。
【０００３】
しかしながら、上記のディスク装置では、図５に示すように、コントロール配線基板５の前面から出ている帯状のリード線７が前方に湾曲して張り出し、その張出し寸法が一定値を越えるとリード線７がトレイドア２と緩衝するため、トレイドア２の開閉に支障を来し、トレイドア２が完全に閉じない等の不具合を生じる。そのため、作業者が意図的にリード線７を曲げて前方に大きく張り出さないようにしているが、作業者のリード線の曲げ具合によって張出し寸法にバラツキがあるため、不具合の発生が多々見られるという問題があった。
【０００４】
ところで、リード線を処理する技術として、一端を配線基板にハンダ付けしたリード線の他端を、可動部材に取付けた電機部品に接続し、リード線の一箇所を配線基板の凹欠部に挿通すると共に、リード線の他の箇所に形成したループ部を配線基板の突片に遊嵌合し、リード線の撓み変形によって可動部材の動きを吸収できるようにしたリード線の線処理構造が公知になっている（特許文献１）。
【０００５】
また、平板の略矩形の開口の一端から舌片を開口上部へ突設し、この舌片と開口縁との間にフラットケーブルを通して挟持固定するケーブル固定具（特許文献２）や、回路基板に突出部を設け、その両脇に設けた孔又は切欠きに配線を通して、突出部と孔又は切欠きで配線を湾曲させて固定する回路基板配線固定構造（特許文献３）も公知になっている。
【特許文献１】特開２００１−３５２１８１号公報
【特許文献２】特開２００５−２１８１８７号公報
【特許文献３】実開平５−５７８８２号公報
【発明の開示】
【発明が解決しようとする課題】
【０００６】
しかしながら、特許文献１のリード線処理構造や特許文献３の配線固定構造のように、リード線を通したり、遊嵌合させたり、湾曲させたりする凹欠部、突片、突出部、孔又は切欠き等を配線基板に設けるものは、ある程度の大きさを有する配線基板と周囲のスペースが必要であるから、前述したディスク装置においてトレイドアの側方近傍の狭い所に取付けられる小さなコントロール配線基板のリード線を前方へ張り出さないように固定する手段として、上記特許文献１，２の技術的手段を採用することは困難である。また、前述のディスク装置において、特許文献２のケーブル固定具をトレイドアの側方近傍に新たに取付けてリード線を固定することは、部品点数及び組立工数が増加し、製造面及び経済面で不利となるから、これも採用することが難しい。
【０００７】
本発明は上記の事情の下になされたもので、トレイドアの側方近傍に取付けたコントロール配線基板と筐体内部のメイン配線基板を結ぶリード線が前方へ張り出してトレイドアと緩衝するのを極く簡単な構成で防止することができるディスク装置の提供を解決課題としている。
【課題を解決するための手段】
【０００８】
上記課題を解決するため、本発明のディスク装置は、ディスクトレイを有するプレーヤ本体を内蔵した筐体のフロントパネルにトレイ挿通口を開設してトレイドアを取付けると共に、このトレイドアの側方近傍にコントロール配線基板を配してシャーシの基板取付部の前面に取付け、このコントロール配線基板と筐体内部のメイン配線基板をリード線で接続したディスク装置において、コントロール配線基板の前面から出ている上記リード線をコントロール配線基板の後方へ導いて固定するリード線固定手段を設けたことを特徴とするものである。
【０００９】
本発明のディスク装置においては、リード線固定手段として、シャーシの基板取付部の上面から起立するリブを設けることが好ましく、また、このリブとシャーシの基板取付部より上側の部分との間隔を、リード線の厚みと同一もしくは僅かに広くすることが好ましい。
【００１０】
そして、本発明の一層具体化された好ましいディスク装置は、ディスクトレイを有するプレーヤ本体を内蔵した筐体のフロントパネルにトレイ挿通口を開設してトレイドアを取付けると共に、このトレイドアの側方近傍にコントロール配線基板を配してシャーシの基板取付部の前面に取付け、このコントロール配線基板と筐体内部のメイン配線基板をリード線で接続したディスク装置において、コントロール配線基板の前面から出ている上記リード線をコントロール配線基板の後方へ導いて固定するリード線固定手段として、シャーシの基板取付部の上面から起立し且つ後面上端部にアール又は斜面が形成されたリブを設け、このリブとシャーシの基板取付部より上側の部分との間隔を、リード線の厚みと同一もしくは僅かに広くしたものである。
【発明の効果】
【００１１】
本発明のディスク装置は、リード線固定手段によって、コントロール配線基板の前面から出ているリード線をコントロール配線基板の後方へ導いて固定できるため、リード線が湾曲しつつ前方に大きく張り出してトレイドアと緩衝することが防止され、トレイドアのスムーズな開閉動作が保障される。
【００１２】
特に、リード線固定手段として、シャーシの基板取付部の上面から起立するリブを設けたディスク装置は、このリブの後側へリード線を導いて掛止するだけで簡単にリード線を前方へ張り出さないように固定でき、また、シャーシの成形金型を少し改造するだけでリブをシャーシの基板取付部に一体に成形できるので、部品点数や組立工数が増えることもなく経済的である。そして、このリブとシャーシの基板取付部より上側の部分との間隔を、リード線の厚みと同一もしくは僅かに広くしたディスク装置は、リード線がリブとシャーシの上側部分とで実質的に挟持された状態でリブに掛止されるため、リード線の固定が一層確実になる。
【００１３】
更に、一層具体化された好ましいディスク装置のように、コントロール配線基板の前面から出ている上記リード線をコントロール配線基板の後方へ導いて固定するリード線固定手段として、シャーシの基板取付部の上面から起立し且つ後面上端部にアール又は斜面が形成されたリブを設け、このリブとシャーシの基板取付部より上側の部分との間隔を、リード線の厚みと同一もしくは僅かに広くしたものは、上記の作用効果に加えて、リブの後面上端部に形成されたアール又は斜面により、リード線をリブとシャーシの上側部分との間に挿入する作業が一層容易になるので、リード線の処理作業効率が向上し、製造面で有利となる。
【発明を実施するための最良の形態】
【００１４】
以下、図面を参照して本発明の具体的な実施形態を詳述する。
【００１５】
図１は本発明の一実施形態に係るディスク装置の概略部分正面図、図２は筐体を省略した同ディスク装置の要部拡大正面図、図３は筐体を省略した同ディスク装置の要部拡大平面図、図４は筐体を省略した同ディスク装置の要部拡大側面図である。
【００１６】
図１のディスク装置はＶＣＲ一体型ＤＶＤプレーヤを例示したものであって、ディスクトレイを有するプレーヤ本体（不図示）などが内蔵された筐体のフロントパネル１の片側にはトレイ挿通口が開設され、このトレイ挿通口を開閉するトレイドア２が取付けられている。そして、フロントパネル１の反対側にはビデオカセット挿通口が開設され、このビデオカセット挿通口を開閉するカセットドア３が取付けられている。
【００１７】
フロントパネル１の後側には、トレイドア２の開閉スイッチ４を搭載した小さな略方形のコントロール配線基板５がトレイドア２の側方近傍（トレイドア２とカセットドア３の間）に配置され、図２〜図４に示すように、このコントロール配線基板５はフロントパネル１の背後に立設されたシャーシ６の基板取付部６ａの前面に取付けられている。そして、このコントロール配線基板５と筐体内部のメイン配線基板５０はリード線７で接続されており、また、開閉スイッチ４はフロントパネル１のスイッチ孔から前方へ突き出している。上記のリード線７は、平行に並べた複数の導電線の両端部を除いて軟質の電気絶縁性樹脂で帯状に被覆したものである。
【００１８】
シャーシ６の基板取付部６ａの上面の片側には、コントロール配線基板５の前面から出ているリード線７をコントロール配線基板５の後方へ導いて固定するリード線固定手段として、起立するリブ８が一体に成形されており、このリブ８とシャーシ６の基板取付部６ａより上側の部分６ｂとの間隔は、リード線７の厚みと同一もしくは僅かに広くなるように設定されている。そして、このリブ８の後面上端部には、図４に示すようなアール８ａが形成されている。尚、アール８ａに代えて、斜面をリブ８の後面上端部に形成してもよい。
【００１９】
このディスク装置は、コントロール配線基板５の前面から出ているリード線７をその付根部分から曲げつつコントロール配線基板５の後方のリブ８に導き、このリブ８とシャーシ６の上側部分６ｂとの間にリード線７を上方から挿入して、リブ８とシャーシ６の上側部分６ｂとで実質的に前後から挟持した状態でリード線７をリブ８に掛止して固定すると共に、リード線７の先端を下方に導いてメイン配線基板５０のランドにハンダ付けしている。従って、リード線７は、従来のディスク装置のように、コントロール配線基板５の前面から湾曲しつつ大きく張り出してトレイドア２の側端と緩衝することがないので、トレイドア２の開閉に支障をきたす恐れがなくなり、トレイドア２のスムーズな開閉動作を確保することができる。
【００２０】
また、リード線７は、リブ８とシャーシ６の上側部分６ｂとで実質的に前後から挟持された状態でリブ８に掛止固定されており、しかも、リブ８の位置がコントロール配線基板５におけるリード線７の接続位置よりも斜め上方にあるため、リード線７が摺動したり外れたりする心配は皆無に等しい。そして、リブ８の後面上端部にアール８ａ又は斜面が形成されているので、リード線７をリブ８とシャーシ６の上側部分６ｂとの間に挿入する作業がし易くなり、リード線７の処理作業効率も向上する。加えて、上記のリブ８は、シャーシの成形金型を少し改造するだけでシャーシ６の基板取付部６ａの上面に一体に成形できるので、部品点数や組立工数が増加することもなく経済的であり、製造面でも有利である。
【００２１】
なお、上記実施形態のディスク装置では、リード線固定手段としてのリブ８をシャーシ６の基板取付部６ａの上面に設けているが、シャーシ６の他の適当な部位に設けるようにしてもよい。
【図面の簡単な説明】
【００２２】
【図１】本発明の一実施形態に係るディスク装置の概略部分正面図である。
【図２】筐体を省略した同ディスク装置の要部拡大正面図である。
【図３】筐体を省略した同ディスク装置の要部拡大平面図である。
【図４】筐体を省略した同ディスク装置の要部拡大側面図である。
【図５】筐体を省略した従来のディスク装置の要部拡大平面図である。
【図６】筐体を省略した従来のディスク装置の要部拡大正面図である。
【符号の説明】
【００２３】
１    フロントパネル
２    トレイドア
５    コントロール配線基板
６    シャーシ
６ａ  シャーシの基板取付部
６ｂ  シャーシの基板取付部より上側の部分
７    リード線
８    リード線固定手段としてのリブ
８ａ  アール
５０  メイン配線基板
【図１】
2007265584.tif 000003
【図２】
2007265584.tif 000004
【図３】
2007265584.tif 000005
【図４】
2007265584.tif 000006
【図５】
2007265584.tif 000007
【図６】
2007265584.tif 000008